(57)【特許請求の範囲】
【請求項１】
前面および後面を幅広な平面とする扁平な直方体状基材の前後面と左右側面は、それぞれ上下方向において、中央に向けて内側に湾曲させ、
前記直方体状基材の上下面は、左右方向において、中央に向けて内側に湾曲させるとともに、左右端から中央部に至るに従って幅広とし、
前記直方体状基材の上下面のそれぞれに、爪やすり部材を設けたこと
を特徴とする爪やすり。
【請求項２】
前記直方体状基材は、
上下の各面部に、前記爪やすり部材を着脱自在に保持する保持部が設けられていることを特徴とする請求項１に記載の爪やすり。
【請求項３】
前記直方体状基材は、
上下面が開口され、かつ上下の開口縁部の内側に係合段部が形成された扁平な中空体と、前記上下の各開口部を閉止するプレート状のキャップとから構成されていること
を特徴とする請求項１に記載の爪やすり。
【請求項４】
前記直方体状基材は、
扁平な中空体の上下の各面における左右の端部に、アリ溝状のキャップ保持部がそれぞれ形成され、このキャップ保持部に、前記キャップに設けたアリを係合させることによって、中空体とキャップとを一体化させるよう構成されていること
を特徴とする請求項３に記載の爪やすり。
【請求項５】
前記爪やすり部材は、
爪の先端部ないし表面を整形する、研削用及び／又は爪の表面を磨く表面研磨用であること
を特徴とする請求項１に記載の爪やすり。
【請求項６】
前記爪やすり部材は、
織布又は不織布の表面に研磨剤粉末を担持させたシートと、ウレタン系発泡シートとから構成されていること
を特徴とする請求項１又は５に記載の爪やすり。
【発明の詳細な説明】
【０００１】
【発明の属する技術分野】
この発明は、爪先の形を、研削によって整えるため及び／又は爪の表面を研磨して滑らかにするために使用される、爪やすりに関するものである。
【０００２】
【従来の技術】
切り揃えた爪の先端部の、目に見え難い凹凸を滑らかに研削によって整形するため、あるいはマニキュアを塗布するために、爪の表面部を磨く爪やすりの多くは、一端部に把手が設けられた細長い平板状に形状されたやすり主体の表面に、やすり部を一体的に設けたものである。
かかる爪やすりは、使用に際し、前記把手を握り、やすり部を、たとえば爪の先端部に押し付けながら、長手方向に沿って往復動させるものである。
【０００３】
しかしながら、人間の爪先および爪は、その表面が湾曲しているため、平板状である従来の爪やすりでは、爪の湾曲面に沿わせ、かつ、移動しながら往復運動させるには操作性が乏しく、爪から爪やすりが外れ易く、誤った箇所の研削、さらには爪だけでなく指までも傷付けてしまうおそれがあった。
【０００４】
そこで、たとえば、特開昭６２−１０１２０６号公報（特許文献１）に示されるように、平面外周形状がほぼ楕円の窪みを有し、この窪みは、前記ほぼ楕円の任意の径方向に沿う断面形状が、それぞれ異なる曲率の円もしくは楕円からなる皿により形成される内周面を有し、この内周面にやすり面が形成されている爪やすりが提供されている。
【０００５】
【特許文献１】
特開昭６２−１０１２０６号公報（特許請求の範囲、図１、図２）
【０００６】
【発明が解決しようとする課題】
この特許文献１に記載の爪やすりは、楕円形状の窪みを設けた平板状の爪やすりであるため、爪先を安全かつ効率よく研削するには有用ではある。
しかしながら、同じく湾曲面を有する爪の表面を研磨する場合には、上記のような従来の爪やすりを使用しなければならず、爪の表面を研磨するということについては一切考慮されていない。
【０００７】
また、従来の爪やすりは平板状であるので、作業に際して爪やすりを確実に保持することが難しいので、正確な研削や研磨に技術を要する。
また、先に述べたように、細かい往復運動を長時間行わなければならないもので、ネイルアーティストや美容師など他人の爪を取り扱う人にとっては、作業時間が長く、疲労が溜まり易く、作業に集中できなくなるなどの問題点も有している。
【０００８】
さらに、従来の爪やすりは、使い捨てのもので、やすり部分が研磨により消耗すると、爪やすりごと廃棄されるものである。
したがって、やすり部分以外が、合成樹脂製であることが多い爪やすりでは、それらを再利用できるようにした方が環境面から好ましい。
また、やすり部分の粒度の違いにより、場合によっては数本あるいは十数本の爪やすりを用意する必要があるので、嵩張りやすくなるという問題を有している。
【０００９】
この発明はかかる現状に鑑み、やすり部材を装着する基台を特定の形状にすることによって、爪先などの研削や爪表面に対する研磨作業に際し、爪やすり全体を確実に保持することができ、結果的に爪等に対する美容作業を簡単かつ容易にし、使用による疲労も減少させることのできる爪やすりを提供せんとするものである。
【００１０】
【課題を解決するための手段】
前記の目的を達成するため、この発明の請求項１に記載の発明は、
前面および後面を幅広な平面とする扁平な直方体状基材の前後面と左右側面は、それぞれ上下方向において、中央に向けて内側に湾曲させ、
前記直方体状基材の上下面は、左右方向において、中央に向けて内側に湾曲させるとともに、左右端から中央部に至るに従って幅広とし、
前記直方体状基材の上下面のそれぞれに、爪やすり部材を設けたこと
を特徴とする爪やすりである。
【００１１】
また、この発明の請求項２に記載の発明は、
請求項１に記載の爪やすりにおいて、
前記直方体状基材は、
上下の各面部に、前記爪やすり部材を着脱自在に保持する保持部が設けられていることを特徴とするものである。
【００１２】
また、この発明の請求項３に記載の発明は、
請求項１に記載の爪やすりにおいて、
前記直方体状基材は、
上下面が開口され、かつ上下の開口縁部の内側に係合段部が形成された扁平な中空体と、前記上下の各開口部を閉止するプレート状のキャップとから構成されていること
を特徴とするものである。
【００１３】
また、この発明の請求項４に記載の発明は、
請求項３に記載の爪やすりにおいて、
前記直方体状基材は、
扁平な中空体の上下の各面における左右の端部に、アリ溝状のキャップ保持部がそれぞれ形成され、このキャップ保持部に前記キャップに設けたアリを係合させることによって、中空体とキャップとを一体化させるよう構成されていること
を特徴とするものである。
【００１４】
また、この発明の請求項５に記載の発明は、
請求項１に記載の爪やすりにおいて、
前記爪やすり部材は、
爪の先端部ないし表面を整形する研削用及び／又は爪の表面を磨く表面研磨用であること
を特徴とするものである。
【００１５】
また、この発明の請求項６に記載の発明は、
請求項１又は５に記載の爪やすりにおいて、
前記爪やすり部材は、
織布又は不織布の表面に研磨剤粉末を担持させたシートと、ウレタン系発泡シートとから構成されていること
を特徴とするものである。
【００１６】
【発明の実施の形態】
以下、この発明の爪やすりの好ましい実施の形態を、添付の図面に基づいて具体的に説明する。
【００１７】
この発明の爪やすり１は、図１に示すように、扁平な直方体状基材２と、この直方体状基材２の上下の面に設けられる、爪やすり部材１０とで構成されるものである。
前記直方体状基材２は、左右間の長さが、少なくとも親指と人差し指及び／又は中指間で抱持することができ、かつ、全体が手の中に納まる程度の大きさを有する直方体の各面を、それぞれが中央部に向けて内側に弧状に湾曲させたものである。
【００１８】
より具体的に説明すると、前記直方体状基材２は、幅広な前面３ａおよび後面３ｂと、幅の狭い左右の側面４ａ，４ｂを、それぞれ上下方向において内側に湾曲させ、上面５ａと下面５ｂを、左右方向において内側に湾曲するように形成するとともに、左右の端部から中央部に向けて次第に幅広となるよう形成したものである。
なお、前記上面５ａと下面５ｂには、前記爪やすり部材１０を保持するために、凹状の保持部６が形成されている。
【００１９】
一方の爪やすり部材１０は、図３および図６で明らかなように、前記直方体状基材２の上下面より一回り程小さなウレタン系発泡シート１１の上面に、綿布の表面に研磨材粉末を塗布により担持させた研磨用シート１２の裏面を接合固着したものである。
なお、前記直方体状基材２に装着可能なものであれば、その材質については特段の制限はない。
【００２０】
この発明において、爪やすり部材１０とは、爪（人工爪を含む。）の先端部ないし表面を整形する、研削用及び／又は爪の表面を磨く表面研磨用の両方を含むものである。
また、前記直方体状基材２の上下面に爪やすり部材１０を設けるに際しては、同一の目の研削用を装着する場合、目の粗さの異なる研削用を装着する場合、同一の目の表面研磨用を装着する場合、目の粗さの異なる表面研磨用を装着する場合、一方に研削用を、他方に表面研磨用を装着する場合など種々の形態を取り得る。
【００２１】
図１に示す実施の形態においては、前記直方体状基材２の上下面５ａ，５ｂに形成された凹状の保持部６内に、爪やすり部材１０の底面部を嵌め込み、接着剤などを使用して固着するものである。
その際、爪やすり部材１０を直方体状基材２に固着すると、研磨面が磨耗すると廃棄せざるを得なくなるので、取替えが可能なように、爪やすり部材１０は、直方体状基材２に対して着脱自在とすることが好ましい。
【００２２】
そのためには、爪やすり部材１０の裏面の所要部位に、数箇所両面接着テープを貼着し、この面接着テープを利用して直方体状基材２に固定することが望ましい。
なお、かかる面接着テープを使用することなく、たとえば、直方体状基材２の上下面の所要部位に係合部をあらかじめ形成し、この係合部に爪やすり部材１０の周縁部に設けた係合片を嵌め込み固着する方法などがある。
【００２３】
図２に示す爪やすり２０は、前記実施例における爪やすり１の、直方体状基材２のみが異なる例を示すものである。
【００２４】
この爪やすり２０における直方体状基材２１は、上下方向に貫通する扁平な中空体と、上下の開口部に着脱自在に装着される、一対のプレート状のキャップ３０からなるものである。
この中空体の前面２２ａと後面２２ｂおよび左右の側面２３ａ，２３ｂを、それぞれ上下方向において内側に湾曲させるとともに、上面２４ａと下面２４ｂを、左右方向において内側に湾曲するように形成し、かつ、左右の端部から中央部に向けて次第に幅広となるよう形成したものである。
前記上下の開口部周縁の内側には、それぞれ係合段部２５が、また、各開口部の左右の端部には、それぞれアリ溝２６，２６がキャップ保持部として形成されている。
【００２５】
なお、この中空体からなる直方体状基材２１は、肉厚を薄くすると、使用に際して撓むなどの問題が生ずる。
したがって、図３に示すように、前記上下の開口部周縁の係合段部２５，２５間で、かつ、前後の周壁２２ａ，２２ｂ間を一体化させるようにして、複数の補強板２７，２７，２７が均等に配設されている。
【００２６】
一方のプレート状のキャップ３０は、特に図５で明らかなように、前記直方体状基材２１の上下面と同様に、左右の端部から中央部に向けて、次第に幅広の紡錘状となるよう形成された肉薄のプレートからなるものである。
また、左右の各端部には、前記のアリ溝２６と係合するアリ３１が、それぞれ突出形成されている。
【００２７】
したがって、このキャップ３０の表面に、前記爪やすり部材１０を適宜の手段で固着したのち、一方のアリ３１を、直方体状基材２１の一方の端部に形成された、アリ溝２６に係合保持させる。
しかるのち、他方のアリ３１を同様に、他方のアリ溝２６内に係合させれば、キャップ３０の外周部が、直方体状基材２１の開口部周縁に形成された係合段部２５と前記各補強板２７に支持され、キャップは確実に直方体状基材２１上に保持され、爪やすり２０を構成する。
【００２８】
かかる構成の爪やすり１又は２０は、使用したい爪やすり部材を下面に位置させたのち、直方体状基材２又は２１の、左右の側面の一方に親指を、他方に人差し指又は中指の内側を当接させると、各側面は内側に湾曲しているので、各指の腹部に確りと馴染むため、爪やすり１又は２０を確実に、しかも安定した状態で把持することができ、研削又は研磨したい部位を正確に研削又は研磨することができる。
【００２９】
また、この発明の爪やすり１又は２０は、直方体状基材２又は２１の前後の面も、内側に湾曲しているので、一方の面を親指の腹で、他方の面を残り４本の指の腹で挟持することによって、直方体状基材２又は２１を立てた状態で使用することもできるので、研削又は研磨の用途に応じて、最も作業し易い状態に爪やすり１又は２０を保持することができる。
【００３０】
【発明の効果】
この発明の爪やすりは、手のひら内に抱持することのできる、前面および後面を幅広な平面とする扁平な直方体状基材の各周面を、それぞれ上下方向において、中央部に向けて内側に湾曲させ、この直方体状基材の上面および下面に研削用及び／又は表面研磨用の爪やすり部材を設けたので、前後面又は左右の側面を指で把持するに際し、各面が内側にそれぞれ湾曲しているので、指の腹部と各面とが密着し、直方体状基材を確実に手の内側に持つことができ、その結果、爪やすり部材を研削又は表面研磨したい部位に正確に当てることができる。
【００３１】
特に、この発明の爪やすりは、直方体状基材の各面を上下方向において、それぞれ中央部に向けて湾曲させているので、爪の研削又は表面研磨に際し、爪やすり部材を研削又は表面研磨に最適な位置に配置しても、各指の腹が直方体状基材の面に密着し、爪やすり部材と爪との関係を最適な状態に保つことができ、美容のための爪の手入れをより簡単かつ容易に行うことができる。
【００３２】
また、この発明の爪やすりは、直方体状基材に爪やすり部材を着脱自在に取付け可能とすることによって、爪の研削又は表面研磨の進行に従い、常に最適な爪やすり部材を用いることが可能で、従来のように多くの種類の爪やすりを準備する必要がない。
【００３３】
さらに、使用によって磨耗した爪やすり部材のみを取り替えることによって、生ずる廃棄物を最小限に抑えることができる。
【００３４】
さらにまた、直方体状基材を中空状にすることによって、爪やすりの取り扱いを一層容易にすることができ、構造も簡単で誰もが使用できるなど多くの利点を有するものである。
【図面の簡単な説明】
【図１】  この発明の爪やすりの一例を示す一部切欠き斜視図である。
【図２】  爪やすりの他の例を示す一部切欠斜視図である。
【図３】  図２に示す爪やすりの要部を分解して示した一部切欠き正面図である。
【図４】  図２に示す爪やすりの要部の平面図である。
【図５】  図２に示される爪やすりのキャップの平面図である。
【図６】  図３におけるＡ−Ａ線に沿った断面図である。
【符号の説明】
１，２０   爪やすり
２，２１   直方体状基材
６         保持部
１０       爪やすり部材
２５       係合段部
２６       アリ溝
３０       シート状のキャップ
３１       アリ
【図１】
0004161305.tif 000002
【図２】
0004161305.tif 000003
【図３】
0004161305.tif 000004
【図４】
0004161305.tif 000005
【図５】
0004161305.tif 000006
【図６】
0004161305.tif 000007